(57)【特許請求の範囲】
【請求項１】
副搬送波発生器の較正方法であって、
前記副搬送波発生器は、選択された形状および位相の副搬送波信号を発生し、データ信号の入力信号および信号形状を定めるパラメータの組に応答する信号整形入力ステージと、前記信号整形入力ステージに応答して前記副搬送波信号を発生する出力ステージとを含み、
前記副搬送波発生器の較正方法は、
選択された形状および位相をもつ副搬送波を発生するように設計された第一のパラメータの組を計算する工程、
前記第一のパラメータの組を前記副搬送波信号発生器に適用する工程、
前記副搬送波信号をモニターすると同時に、前記副搬送波信号発生器を作動させる工程、
前記選択された形状および位相に対する前記モニターされた副搬送波信号内のエラーを計算し、該エラーに対応するエラーパラメータの組を計算する工程、
前記第一のパラメータの組と前記エラーパラメータの組の和である新しいパラメータの組を計算する工程、
前記副搬送波発生器のその後の作動時に、前記副搬送波発生器に前記新しいパラメータの組を適用して、前記選択された形状および位相をもつ副搬送波を発生する工程を備え、
前記信号整形入力ステージが有限インパルス応答フィルタを含み、前記パラメータの組が前記有限インパルス応答フィルタに印加され、前記パラメータの組が前記有限インパルス応答フィルタの出力を決定する有限インパルス応答係数の組である、副搬送波発生器の較正方法。
【請求項２】
前記出力ステージが、前記計算されたエラーに反映される周波数依存特性を有するローパスフィルタおよび増幅器のうちの少なくとも一方を含む、請求項１記載の方法。
【請求項３】
前記計算されたエラーが前記選択された形状および位相に対する前記副搬送波信号内周波数依存ひずみに対応する、請求項１記載の方法。
【請求項４】
副搬送波信号発生器と較正装置を含むシステムであって、
前記副搬送波信号発生器は、データシーケンスを受信し、前記データシーケンスを搬送する選択された形状および位相の副搬送波信号を発生し、前記副搬送波の前記選択された形状および位相を確立するパラメータの組を参照し、
前記較正装置は、前記副搬送波信号内のエラーを測定し、理想的な状態で計算された第一のパラメータの組と前記測定されたエラーに応答して計算されたエラーパラメータの組の和に相当する新しいパラメータの組を計算し、
前記新しいパラメータの組が、前記副搬送波信号発生器によって参照されることによって、前記選択された形状および位相の信号が発生され、
前記副搬送波信号発生器が有限インパルス応答フィルタを含み、前記パラメータの組が前記有限インパルス応答フィルタに印加され、前記パラメータの組が前記有限インパルス応答フィルタの出力を決定する有限インパルス応答係数の組である、
システム。
【請求項５】
前記エラーを測定される副搬送波信号が前記副搬送波信号発生器から出力として直接取り出される、請求項４記載のシステム。
【請求項６】
前記エラーを測定される副搬送波信号が前記副搬送波信号を含む送信信号をモニタする副搬送波受信機から取り出される、請求項４記載のシステム。
【発明の詳細な説明】
発明の背景
本発明は、一般的には無線信号放送装置に関し、より詳細には副搬送波信号発生装置に関する。
ある種のＦＭ無線放送信号は副搬送波信号を含む。この副搬送波信号は、例えば各々が副搬送波信号をモニタしている多数のページングデバイスに対しページングメッセージを送信するページングシステムを実現するにあたり、例えばページングデータを送る。こうしてページングシステムは現在のＦＭ信号放送設備を利用している。ＦＭ放送設備は、例えばＦＭ放送設備とページングシステムクリアリングハウスを結合する高速モデムを通してページングシステムからのデジタルページングメッセージを受信する。ＦＭ送信設備は副搬送波発生器を含み、副搬送波発生器はデジタルページングメッセージ情報を受信し、その出力である副搬送波信号にこのページングメッセージ情報を組み込む。副搬送波発生器はこの出力をエキサイタおよびその後のＦＭ信号放送デバイスに加え、送信されるＦＭ無線信号の副搬送波部分にページングメッセージを与えるようになっている。
副搬送波信号の質は代表的な副搬送波発生デバイスのアナログ回路において劣化するアナログデバイス、例えば副搬送波発生デバイスの出力ステージにおける増幅器およびローパスフィルタの周波数によって決まる属性は、発生される信号により周波数に従属した非線形の位相のずれをコンボルブ（convolve）する。これにより副搬送波信号にひずみが加えられ、副搬送波信号によって提供される情報の全体の質を劣化する。
代表的な副搬送波発生器はシンボル発生器においてデジタルデータストリームを受信し、この結果得られる波形シンボルシーケンスをバンドパス有限インパルス応答（ＦＩＲ）フィルタに加える。このＦＩＲフィルタは波形シンボルシーケンスを適当に整形し、最終的に送信される副搬送波信号において所望のバンドパス形状および基準周波数、すなわち中心周波数を発生させる。ＦＩＲフィルタ係数の一組は、この結果得られるバンドパス形状、従って副搬送波信号の中心周波数を定める。よって、代表的な副搬送波信号発生器では、所望の副搬送波信号の形状および中心周波数に従い、設計時においてＦＩＲ係数が設定される。換言すれば、理想的な形状および中心周波数が選択され、かかる形状および中心周波数を得るように、ＦＩＲ係数が計算される。
ＦＩＲフィルタは、その出力を一連の出力ステージデバイス、すなわちデジタル／アナログコンバータ、増幅器、ローパスフィルタおよび最終出力ステージ増幅器へ加える。最終的に出力ステージデバイスは副搬送波信号において理想的副搬送波信号の形状および中心周波数において周波数に従属した振幅および位相ひずみを生じさせる。かかる副搬送波発生デバイスは信頼性が高く、使用可能な副搬送波信号を発生するが、発生される副搬送波信号を改善する必要性と、その余地が残されている。群遅延訂正をしたアナログフィルタは、生じた非線形の位相のずれを補償できるが、かかるフィルタは高価であり、設計および取り付けが困難であり、遅れ訂正部分に起因して物理的に大きくなる。
従って、周波数に従属する特性を補償し、かつ高品位の副搬送波信号を提供しながら、比較的出費の少ない副搬送波信号発生器を提供することが好ましい。
発明の概要
本発明の好ましい形態の副搬送波発生器は、ＦＩＲ係数の組により決定されるバンドパス有限インパルス応答（ＦＩＲ）フィルタを含む。本発明によれば、ＦＩＲ係数の第１の組は理想的な副搬送波信号の形状および中心周波数に対応する。副搬送波発生器は当初ＦＩＲ係数のこの第１の組により作動し、副搬送波信号を発生する。較正デバイスは副搬送波信号をモニタし、ＦＩＲ係数の第２の組を計算し、アナログフィルタおよびその他の周波数に従属した振幅および位相ひずみデバイスの出力をデコンボルブする。これにより副搬送波発生器のアナログ出力ステージの周波数に従属した特性に応じ、バンドパスＦＩＲフィルタの出力をあらかじめひずませることにより、副搬送波信号発生器の出力ステージで生じたひずみが訂正される。この結果、発生される副搬送波信号は所望する形状および中心周波数より近似して一致する。本発明による較正は副搬送波発生器の出力ステージ装置の周波数に従属した特性が変わる程度に、副搬送波発生装置の製造時または設置時に少なくとも１回、更にその後、間欠的または必要な際に実行できる。
本発明の要旨を特に指摘し、本明細書の終了部分においてその要旨を明確に請求する。しかしながら、同様な参照番号は同様な要素を示す添付図面を共に、次の説明を参照することにより、本発明の別の利点および課題を共に本発明の構造および作動の方法について最良に理解できよう。
【図面の簡単な説明】
本発明を最良に理解し、本発明をどのように実施できるかを示すため、次に添付図面を例として説明する。
図１は、本発明により製造され、較正され、作動される副搬送波発生器を使用したページングシステムを示す。
図２は、図１のページングシステムで使用される副搬送波発生デバイスを示す。
図３は、較正方法中の副搬送波発生器の作動をフローチャートで示す。
図４Ａおよび４Ｂは、理想的な特性、測定される特性および本発明により訂正される特性に従った副搬送波信号の特性を示す。
図５は、本発明による副搬送波発生器およびその較正を利用した、図１の無線局をブロック図で示す。
図６は、図１および５の無線局内のエキサイタを駆動するベースバンド複合信号のスペクトルを示す。
図７は、発生される副搬送波信号で示される、あるシーケンスのページングメッセージのデータパケットを示す。
好ましい実施例の詳細な説明
図１は、本発明によって製造され、較正される副搬送波発生器を使用するページングシステム１０を示す。ページングシステム１０を参照して本発明について説明するが、本発明は一般に種々の用途における副搬送波発生器に使用できると理解されよう。
図１において、ページングシステム１０はクリアリングハウス１２を含む。このクリアリングハウス１２は電話機１６を使って発呼者により発生されたページングメッセージ１５を公衆交換電話ネットワーク（ＰＳＴＮ）１４から集める。クリアリングハウス１２はページングデータ１８をＦＭ無線局２０へ送る。後により完全に説明するように、無線局２０はページングデータ１８を副搬送波発生器（図２）へ加え、このページングデータ１８をＦＭ放送信号２２に組み入れる。図１に示される腕時計式ページングデバイス２４のような多数のページングデバイス２４は、ＦＭ信号２２の副搬送波部分をモニタし、これよりディスプレイするためのページングメッセージを抽出する。
本発明に関し、ページングシステム１０は本発明に従い製造され、較正され、作動される副搬送波発生器を無線局２０で使用する。副搬送波信号を改善することにより、ページングデバイス２４はこれに向けられたページングメッセージを良好に受信する。更に、本発明は比較的高価でない出力ステージデバイス、特にローパスフィルタを副搬送波発生器で使用できるようにするものである。設計により周波数に従属したひずみが大きくなる比較的高価でないデバイスを使用しているにも拘わらず、本発明は発生される副搬送波信号で周波数に従属したひずみをほとんど発生しない、高品位の副搬送波信号を信頼性高く発生できるようにする。
図２は、ページングデータ１８を副搬送波信号３２に変換する無線局２０の副搬送波発生器３０を示す。この副搬送波信号３２はＦＭ放送信号２２（図１）に生じる図２においても較正デバイス３４は較正工程中に副搬送波信号３２をモニタし、その後の副搬送波発生器３０の作動を変え、副搬送波信号３２の質を改善する。すなわち副搬送波信号３２を所望する形状および中心周波数により近似して一致させる。
副搬送波発生器３０はシンボル発生器３６においてページングデータ１８、すなわち毎秒１９キロビットのレートのビットストリームを受信する。シンボル発生器３６は一連の正の位相のサイン波形に対応するページングデータ１８における１のビットおよび一連の負の位相のサイン波形シンボルに対応するゼロのビットを６６．５キロヘルツで作動するサイン波形と共に発生する。
シンボル発生器３６は波形シンボルシーケンス３８をデジタル式バンドパス有限インパルス応答（ＦＩＲ）フィルタ４０に加える。このフィルタ４０は所望の形状および中心周波数の副搬送波の形状をデジタル式に表わす予備的副搬送波信号４２を発生するよう、公知の態様で作動する。より詳細には、ＦＩＲフィルタ４０は副搬送波信号３２において所望の形状および中心周波数を設定するよう計算された一組のＦＩＲ係数をホールドする係数レジスタ４４を含む。図示した特定の実施例では、予備的副搬送波信号４２は６６．５キロヘルツを中心とし、この６６．５キロヘルツに対し±９．５キロヘルツでゼロとなるコサインの平方根のバンドパス形状をデジタル式に表している。デジタルデバイスであるフィルタ４０は、固有の平らな群遅延および周波数に対してほぼ線形な位相応答により、信号４２における所望の形状および中心周波数を有する信号を確実に発生する。
不幸なことに、信号４２は副搬送波信号３２として直接加えることはできず、デジタル−アナログコンバータ５０、増幅器５２、ローパスフィルタ５４およびコネクタ５８を駆動する最終出力増幅器６６にシリーズに加えなければならず、他方、副搬送波信号３２は利用できないフォームで取り込まれる。デジタル−アナログコンバータ５０は信号４２の中心周波数の４倍、すなわち２６０キロヘルツでサンプリングする。コンバータ５０はその出力においてサイン状のＸ／Ｘロールオフを生じさせるので、信号４２に示されるような副搬送波信号をひずませる。増幅器５２およびローパスフィルタ５４も信号４２に対する周波数に従属したひずみを生じさせる。当該バンド幅、すなわち６６．５キロヘルツの中心周波数に対し±９．５キロヘルツのバンド幅に対し平担な群遅延特性を有するローパスフィルタ５４を製造することができるが、かかるローパスフィルタは高価である。いずれの場合においても、発生器３０の出力ステージすなわちコンバータ５０、増幅器５２、ローパスフィルタ５４および増幅器６６は必ずアナログデバイスであり、予備的副搬送波信号４２に示されるような所望の形状および中心周波数に対して副搬送波信号３２の形状および中心周波数の周波数に従属したひずみをある程度不可避的に発生させる。
副搬送波発生器３０の出力ステージで生じる特定のひずみは、一般に予測不能である。デジタル−アナログコンバータ５０で生じるひずみはある程度予測可能であるが、残りのデバイスイ５２、５４および５６は使用される出力ステージの部品の個々のセットに固有のひずみを生じさせる。アナログデバイスの各々は別個のひずみ効果を個々に発生し、副搬送波発生器３０の設計の際にかかるひずみ効果を補償することが困難となる。これまでかかる周波数に従属したひずみは、副搬送波発生器のアナログ出力ステージで使用する際に不可避的なものとして認められてきた。出力ステージにおける周波数に従属したひずみに関する訂正手段は、より高価なローパスフィルタ５４の形態となっていた。
しかしながら本発明では、較正デバイス３４がその較正中に所定の不可避搬送波発生器３０で生じる周波数に従属したひずみを考慮している。特に、較正デバイス３４が予備的副搬送波信号４２をあらかじめひずませるようＦＩＲ係数レジスタ４４を変更するようになっている。デバイス５０、５２、５４で発生するその後のひずみは現実に発生される副搬送波信号３２の形状および中心周波数を改善するものである。すなわちあらかじめひずまされた予備的副搬送波信号４２によって示される信号に対して形状および中心周波数を改善する。
一般に、レジスタ４４にロードされる第１の組のＦＩＲ係数は、信号３２に対する理想的なバンドパス形状および中心周波数を示す。すなわち６６．５キロヘルツを中心とするコサインの平方根のバンドパス形状を示す。較正デバイス３４はページングデータ１８をテストデータ７０に置換し、その結果生じる副搬送波信号３２をモニタする。信号３２において選択された周波数サンプルポイントで取り込まれた振幅および位相情報はこれらサンプルポイントにおいて、予想される振幅および位相情報と比較される。測定される振幅および位相と位相振幅および位相との差はひずみエラーを定める。このひずみエラーは、予備的副搬送波信号４２においてデジタル式に表示される形状および中心周波数を変えるための基礎を提供する。すなわち信号４２をあらかじめひずませるための基礎を提供する。較正デバイス３４があらかじめひずまされた信号４２で表示すべき形状および中心周波数を決定すると、この較正デバイス３４は新しいＦＩＲ係数を計算し、これをＦＩＲフィルタ４０のレジスタ４４へロードする。このように、信号４２によって表示される副搬送波信号は理想的な形状および中心周波数に対してあらかじめひずまされる。
重要なことは、理想的形状および中心周波数に対する信号４２に導入される予備的ひずみは発生器３０の出力ステージで生じるひずみの相補的ひずみとなっていることである。従って、理想的バンドパス形状および中心周波数に対する信号４２内の予備的ひずみは、アナログ出力デバイスで発生されるひずみを否定するものである。この結果生じる副搬送波信号３２は、発生器３０の出力ステージで生じる周波数に従属した大きなひずみに拘わらず、理想的な形状および中心周波数により近似して一致する。
較正デバイス３４はデジタル信号８２を離散的フーリエ変換ブロック８４へ送るアナログ−デジタルコンバータ８０において副搬送波信号３２を受信する。変換ブロック８４はサンプリング時において副搬送波信号３２を表示する振幅値８６および位相値８８を発生する。較正デバイス３４は振幅および位相値を収集し、理想的形状および中心周波数に対し副搬送波信号３２を特徴づける。より詳細には、当該周波数バンドにおける各周波数サンプル点に対し、較正デバイス３４はテストデータ７０を介し、対応するトーンを注入し、注入された各トーンに対する振幅値８６および位相値８８を収集する。較正デバイス３４は測定された振幅値８６および位相値８８と、予想すなわち理想的振幅および位相値と比較することにより、較正デバイス３４は理想的形状および中心周波数に対する信号３２の偏差を評価する。本明細書に使用されているように、これら振幅および位相値は副搬送波信号の特性を決めるのに使用される。しかしながら、かかる特性は振幅と位相の実数の対または複素数の対として実現できることが理解できよう。説明のため、図２は振幅値８２および位相値８８（極座標形式）の集合を示すが、一般に離散的フーリエ変換で発生される値は複素数（直角座標形式）として表示される。
図３は、較正デバイス３４で実行される較正方法１００をフローチャートで示している。図３における図解に使用されているように、副搬送波の波形形状および中心周波数は各位置において複素数の対をホールドする単一次元のアレイとして示される。アレイにおける位置の数は、アレイの表示に使用されるサンプルポイント数を示す。この説明では、かかる各データ構造はｎ個の記憶位置を参照する。サンプルポイント数は変えることができる。すなわちｎの値は設計基準に応じて変わり得ることが理解できよう。更に各複素数の対は次の式
0003744541.tif 000002
（ここで、Ｉは実数部分を示し、Ｑは虚数部分を示す）に従い、振幅Ｍおよび位相φに変換できることも理解できよう。
図３において、ブロック１０２はバンドパスＦＩＲフィルタ４０（図２）に対する理想的ＦＩＲ係数を計算する。ブロック１０２はデバイス３０の較正時におけるかかる理想的ＦＩＲ係数の計算またはあらかじめ計算された理想的ＦＩＲ係数への基準を示す。いずれのケースにおいても、所定の副搬送波信号形状および中心周波数の表示はＦＩＲ係数を計算するための基礎を提供する。
ブロック１０２で得られた理想的ＦＩＲ係数はブロック１０４においてバンドパスＦＩＲフィルタ４０のレジスタ４４にロードされる。副搬送波発生器３０は選択された形状および中心周波数の理想的副搬送波信号を表示する予備的副搬送波信号４２を発生する。ブロック１０６では、較正デバイス３４がインデックス変数すなわちSample_Indexを値０に初期化する。次にループ１０８に入り、ここで較正デバイス３４は副搬送波発生器３０における周波数従属ひずみ後に発生される実際の副搬送波を示す複素数アレイMEASUREDを発生する。すなわち実際の副搬送波３２を示す。ブロック１１０では較正デバイス３４がテストデータ７０によりシンボル発生器３６内へトーンを注入する。このトーンはインデックス可変サンプルポイントに応じて選択されたものである。注入トーンを処理し、信号３２の表示をするのに充分な時間の後に、較正デバイス３４はインデックス可変Sample_Indexに対応するロケーションにおいて複素数アレイMEASUREDへ組み入れるための振幅値８６および位相値８８を収集する。ブロック１１４において、較正デバイス３４はインデックス可変Sample_Indexをインクリメントし、判別ブロック１１６へ進み、ここでSample_Indexをターミナル値ｎと比較する。別のサンプルを取り込む場合、デバイス３４が複素数アレイMEASUREDにおける次のサンプルを得て記憶するループ１０８を繰り返す。
一旦、アレイMEASUREDがサンプルで満たされ、理想的ＦＩＲ係数で作動する副搬送波信号３２のための形状および中心周波数が表示されると、信号３２におけるひずみの度合いが計算される。特にブロック１１８において、アレイERRORはサンプルポイントに対し測定された、振幅と理想的振幅の差、および測定された位相と理想的位相との差の表示を記憶する。ブロック１２０ではアレイIDEALおよびERRORを加算することにより、あらかじめひずまされる副搬送波信号バンドパス形状および中心周波数が生じる。特にサンプルポイントごとに理想的振幅および位相にERROR振幅およびERROR位相が加算される。この結果は、アレイNEWに表示される。
ブロック１２２に進み、デバイス３４はアレイNEWを使って、すなわちあらかじめひずまされた副搬送波の形状および中心周波数の表示を利用して新しいＦＩＲ係数を計算する。次に、較正デバイス３４はブロック１２４において新しいＦＩＲ係数をＦＩＲフィルタ４０のレジスタ４４にロードする。次に、副搬送波発生器３０はあらかじめひずまされた副搬送波信号の形状および中心周波数を表わす予備的副搬送波信号４２を発生するよう、新しいＦＩＲ係数のもとで作動する。信号４２の表現における予備的ひずみは、副搬送波発生器３０の出力ステージで生じる、測定されるひずみの相補的ひずみとなっているので、この結果生じる副搬送波信号３２は所望する副搬送波の形状および中心周波数により近似して一致する。
図４Ａおよび４Ｂは理想的な形状および位相に対する副搬送波信号の形状および位相の予備的ひずみをグラフで示す。図４Ａにおいて、理想的副搬送波の形状２００は所望するコサインの平方根のバンドパス形状、すなわちほぼベル形状の波形に従う。測定された形状２０２はバンドパスＦＩＲフィルタ４０における一組の理想的ＦＩＲ係数で作動する副搬送波信号３２の波形を示す。あらかじめひずまされた波形２０４は各サンプルポイントにおける波形２０２と波形２００との間の振幅の差のコンプリメント（compliment）を理想的波形２００に加えたものを示す。あらかじめひずまされた波形２０４に対応する一組のＦＩＲ係数を計算することにより、副搬送波発生器３０の出力ステージで生じるひずみが相殺される。
図４Ｂは理想的位相２１０を各サンプルポイントでとられた位相の値８８を示す測定された位相２１２と共に対角線として示す。あらかじめひずまされた位相２１４は理想的位相２１０と測定された位相２１２との間のエラーを示し、このエラーは理想的位相２１０にその後加えられる。あらかじめひずまされた位相２１４に基づき、ＦＩＲ係数を計算することにより副搬送波発生器３０の出力ステージで生じた位相ひずみが相殺される。
図５は、本明細書に説明したような副搬送波発生器３０を含む無線局２０と、本発明の別の実施例をより詳細に示す。図５では、ステレオ発生器３００がオーディオソース３０４からの主要オーディオ信号３０２の左右チャンネルを受信する。ステレオ発生器３００では左側チャンネル信号と右側チャンネル信号とを加えた信号３０６を発生するように左右の信号３０２が結合され、左側チャンネル信号から右側チャンネル信号を減算した信号３０８を発生するように双方の信号が減算される。パイロット発生器３１０は１９キロヘルツのパイロット信号３１２と、乗算器３１４を介して３８キロヘルツの信号３１６を利用可能にする。信号３０８と３１６は乗算器３１８へ結合され、信号３２０が発生される。次に、信号３０６およびパイロット信号３１２に信号３２０が加算され、ステレオの多重化信号３２２が発生される。エキサイタ３２６は上記のようにステレオ多重化された信号３２２および副搬送波信号３２を受け、これらステレオ多重化された信号３２２と副搬送波信号３２を複合信号３２８となるように加算する。
図６は、信号３２８に対して複合されたベースバンドのスペクトルを示す。パイロット信号３１２に隣接して左右のチャンネルを加算した信号３０６と、左側チャンネル信号から右側チャンネル信号を減算した信号３０８が生じる。６６．５キロヘルツを中心周波数とする左側チャンネル信号から右側チャンネル信号を減算した信号３０８に隣接して副搬送波信号３２が生じる。信号３２８はエキサイタ３２６のエキサイタ回路３３６を駆動する。エキサイタ３２６の出力３２７は増幅器３３０を駆動し、増幅器３３０はアンテナ３３２を駆動する。従って、送信信号２２に信号３０６と、３１２と、３０８と、３２の複合信号が生じる。
ページングデバイス２４は副搬送波信号３２内のページング情報を送信信号２２から抽出し、その情報がページングデバイス２４にアドレス指定されている場合、ディスプレイおよび記憶のためにページングメッセージを収集する。
図７は、ビットストリーム１８内で得られるあるシーケンスのページングメッセージデータパケットを示す。発呼者がクリアリングハウス１２にページングリクエストを送ると、クリアリングハウス１２はデータパケット４００を組み立てる。各パケットは少なくとも１つのアドレスフィールド４００ａおよびデータフィールド４００ｂを含む。フィールド４００ａおよび４００ｂはページングメッセージ１５を示す。すなわちフィールド４００ａにおいて、選択されたページングデバイス２４を識別し、フィールド４００ｂにおいて、ディスプレイすべきメッセージを提供する。クリアリングハウス１２はあるシーケンスのデータパケット４００を組み立て、モデムにより無線局２０にデータパケットをビットストリーム１８として送る。
図５に戻ると、副搬送波発生器３０は本発明の１つの特徴により副搬送波信号３２をモニタすることにより上記のように較正される。かかる較正により副搬送波発生器３０で生じた周波数に従属したひずみはＦＩＲ係数を適当に計算することにより正規化される。本発明の別の形態は、エキサイタ回路３３６および増幅器３３７で生じた周波数に従属するひずみの正規化を行うことも意図している。特に副搬送波受信機４２０はタップすなわち“スニッファー（sniffer）”４２２においてアンテナ３３２の供給信号を集める。すなわちアンテナ３３２へ送られる信号のごく小さい部分を取り出す。次に副搬送波受信機４２０は副搬送波信号４３２を利用可能にする。信号４３２は副搬送波信号３２のフォーマットと同一フォーマットでよいので、較正デバイス３４’はスイッチ４３３を操作することにより副搬送波信号３２または４３２の１つを選択的にモニタするように改造する必要はない。いずれのケースにおいても、較正デバイス３４’は本明細書に説明したように正規化を行うために副搬送波信号を受信する。すなわち副搬送波発生器３０の出力をあらかじめひずませるよう新しいＦＩＲ係数を計算する。このように、較正デバイス３４’は副搬送波発生器３０の較正時に、すなわち周波数に従属したひずみをデコンボルブするために副搬送波信号３２または副搬送波信号４３２を選択的にモニタする。
従って、以上で副搬送波発生器の改善された製造方法および作動について説明し、示した。本発明は、例えば副搬送波発生器の出力ステージで生じるひずみを補償するよう、副搬送波信号内で予備的ひずみを発生させる。各副搬送波発生ユニットにおいて周波数に従属したひずみを別々に測定することにより、ＦＩＲフィルタにおいて別々に計算されたＦＩＲ係数を使用し、特定の副搬送波発生ユニットまたは放送設備の特定の周波数に従属したひずみをあらかじめひずませる。すなわちあらかじめ補償する。副搬送波発生器の出力ステージに設けられる高価で複雑なフィルタデバイスは使用する必要がなくなる。この代わりに周波数に従属したひずみが認められ、較正工程はかかるひずみを測定し、その補償の際に新しいＦＩＲ係数を計算する。従って、発生される副搬送波信号の質と妥協することなく安価な副搬送波発生器が得られる。
本明細書に説明した較正工程は、製造時に最初に実行できる。すなわち副搬送波信号３２を発生するため、所定の副搬送波発生ユニットを充分に組み立てた後に実行してもよい。
このユニットのためのユニークな組のＦＩＲ係数が製造時に計算され、ロードされる。本発明による較正はオンデマンドでダイナミックに、または初期化ルーチン中に実行してもよい。ＦＩＲレジスタ４４として示されているがＦＩＲ係数は多数の記憶デバイス、例えばプロセッサ用デバイス、ディスクドライブデータ構造体およびメモリロケーションに記憶してもよいことが理解できよう。本発明による較正は計算された予備的ひずみを設定するよう、かかるＦＩＲ係数が変更できるものであることを要求するにすぎない。
本発明はこれまで説明し、図示した特定の実施例に限定されるものでなく、かつ添付された請求の範囲およびその同等物として判る本発明の範囲から逸脱することなく、本発明の範囲内で変更を行うことが可能である。
【図１】
0003744541.tif 000003
【図２】
0003744541.tif 000004
【図３】
0003744541.tif 000005
【図４Ａ】
0003744541.tif 000006
【図４Ｂ】
0003744541.tif 000007
【図５】
0003744541.tif 000008
【図６】
0003744541.tif 000009
【図７】
0003744541.tif 000010